(57)【要約】      （修正有）【課題】加熱装置から発生した磁力線により切削工具ホルダの上部を加熱し、切削工具ホルダの上部を膨張させることによって、簡単に抜き出すことができないように、切削金具を切削工具ホルダに確実に装着させる加熱装置において、サイズの異なる切削工具に対応可能で、加熱効率も高い遮蔽道具を提供する。【解決手段】固定部材１１と、該固定部材の径方向に沿って形成される複数のスライド溝１５と、を備えるベース１０と、径方向に沿って摺動可能に前記各スライド溝１５に夫々嵌設されるスライド本体２１と、該スライド本体の内端底面部に設置されると共に、該スライド本体の外端上面部へ挿入するガイドロッド２６とを有する磁化体２５と、を備えるスライド遮蔽部材２０と、前記ベースをカバーするように、前記スライド本体２１のガイドロッド２５が挿入される複数の弧状溝３１２と、を備える回転蓋部３０と、を有する。【選択図】図２
0003154730.tif 000002
【実用新案登録請求の範囲】
【請求項１】
固定部材と、該固定部材の中央を貫穿する底孔と、該固定部材の上面部に間隔をおいて、且つ該固定部材の底孔に向かって径方向に沿って形成される複数のスライド溝と、を備えるベースと、
内端が前記固定部材の底孔から突出するように、径方向に沿って摺動可能に前記各スライド溝に夫々嵌設される細長状のスライド本体と、該スライド本体の底孔から突出した内端底面部に設置されると共に、底面部に凹部及び凸部が交互に配列される反射模様と該スライド本体の外端上面部へ挿入するガイドロッドとを有する磁化体と、を備えるスライド遮蔽部材と、
中央に形成され、前記ベースにおける底孔と対応する上部孔と、底面の周囲に凹設されると共に、それぞれが該上部孔の近傍に位置する内端と外周辺の近傍に位置する外端とを備え、前記スライド本体のガイドロッドが該外端に挿入される複数の弧状溝と、を備える回転蓋部と、を有する切削工具ホルダの加熱装置に使用される遮蔽道具。
【請求項２】
前記固定部材は、円盤状を呈し、
前記底孔は、円形を呈し、下部の中央周辺に直径方向に広がる広孔部と、該広孔部の上面部と固定部材の下面部との間に形成される肩部とを備え、
前記スライド溝は、外端が内端より高度に位置するように傾斜状に形成され、且つ内端の底面部が前記肩部と同一平面上に位置し、
前記磁化体は、前記固定部材の中心へ向かって平行する位置に配置される複数の凹溝を備えることを特徴とする請求項１に記載の切削工具ホルダの加熱装置に使用される遮蔽道具。
【請求項３】
前記スライド溝は、下部を垂直方向に貫穿され、前記固定部材の中心に向かって延出すると共に、前記広孔部と連通する長溝と、該長溝の外端部の両側を貫通するように挿入されるピンとを備え、
前記スライド遮蔽部材は、前記長溝と対応すると共に、底面部に凹設される凹溝と、該凹溝の内端に挿入されるスプリングロッドと、該凹溝と長溝との間に位置し、両端が夫々該スプリングロッドとピンに固定されるスプリングと、該スプリングロッドの近傍に位置すると共に、前記スライド本体の底面部に挿入するように、前記広孔部の周壁に当接する当接ロッドとを備えることを特徴とする請求項２に記載の切削工具ホルダの加熱装置に使用される遮蔽道具。
【請求項４】
前記固定部材は、外環面に径方向へ向かって凹設される収容孔を備え、
前記回転蓋部は円形を呈し、前記ベースの上部とその周辺とをカバーし、該ベースの上部に設けられる上面板と、該上面板の底面に円環状に設けられると共に、外周面に間隔をおいて前記収容孔と対応する複数の位置決め孔が貫穿される外環板とを有し、前記上部孔は、該上面板の中央箇所に貫穿されると共に、前記弧状溝は、該上面板の底面の周囲に凹設され、
前記ガイドロッドは、前記弧状溝に挿入され、
さらに、前記収容孔の内端と外端との間に設けられる位置決めスプリング及び位置決めボールを備え、該位置決めボールは、前記回転蓋部を固定するために、前記収容孔の外端から突出するように、前記複数の位置決め孔の何れか１つの内端に係合されることを特徴とする請求項２乃至３の何れか１項に記載の切削工具ホルダの加熱装置に使用される遮蔽道具。
【請求項５】
４つのスライド溝と、４つの弧状溝と、前記外環板の外周面における、同一間隔を有する４つの箇所にそれぞれ挿入される、４つの回転ロッドとを備えることを特徴とする請求項４に記載の切削工具ホルダの加熱装置に使用される遮蔽道具。
【請求項６】
前記スライド溝が断面Ｔ字形であることを特徴とする請求項５に記載の切削工具ホルダの加熱装置に使用される遮蔽道具。
【請求項７】
前記スライド溝が蟻溝を呈することを特徴とする請求項５に記載の切削工具ホルダの加熱装置に使用される遮蔽道具。
【考案の詳細な説明】
【技術分野】
【０００１】
本考案は、特に異なるサイズの切削金具に対応するように調整可能な切削工具ホルダの加熱装置に使用される遮蔽道具に関するものである。
【背景技術】
【０００２】
従来の切削工具ホルダは、加熱装置から発生した磁力線により切削工具ホルダの上部を加熱し、切削工具ホルダの上部を膨張させることによって、簡単に抜き出すことができないように、切削金具を切削工具ホルダに確実に装着させるものである。
特許文献１に示すように、従来の切削工具ホルダの加熱装置は、磁性材料からなる円環部によりスリーブ部から発生した磁力線を切削金具に集中させ、切削金具を加熱するために磁力線を遮蔽することができる。
【先行技術文献】
【特許文献】
【０００３】
【特許文献１】中国特許０２８０３９７２号
【考案の概要】
【考案が解決しようとする課題】
【０００４】
前記従来の切削工具ホルダの加熱装置の円環部は、磁力線を遮蔽することにより磁力線を切削金具に集中させる機能を有するが、前記円環部の周囲は傾斜の形態に形成されるものであるため、前記円環部と装着された切削金具とが磁力線を十分に集中させるほど接近したものではないので、切削金具を加熱する効果が低下してしまう欠点があった。
さらに、従来の切削工具ホルダの加熱装置の円環部は、異なるサイズの切削金具に対応することができない固定式のものであるので、使用上非常に不便であった。
【０００５】
そこで考案されたのが本考案であって、ベースの径方向に沿って摺動可能に、且つ切削金具の周囲に当接されるように調整することができる複数のスライド遮蔽部材を備えるので、加熱装置から発生した磁力線を反射することにより磁力線を切削工具ホルダの上部に集中させ、異なるサイズの切削金具に対応すると共に切削工具ホルダを効率よく加熱することができる切削工具ホルダの加熱装置に使用される遮蔽道具を提供することを目的とする。
【課題を解決するための手段】
【０００６】
本願の請求項１の考案は、固定部材と、該固定部材の中央を貫穿する底孔と、該固定部材の上面部に間隔をおいて、且つ該固定部材の底孔に向かって径方向に沿って形成される複数のスライド溝と、を備えるベースと、
内端が前記固定部材の底孔から突出するように、径方向に沿って摺動可能に前記各スライド溝に夫々嵌設される細長状のスライド本体と、該スライド本体の底孔から突出した内端底面部に設置されると共に、底面部に凹部及び凸部が交互に配列される反射模様と該スライド本体の外端上面部へ挿入するガイドロッドとを有する磁化体と、を備えるスライド遮蔽部材と、
中央に形成され、前記ベースにおける底孔と対応する上部孔と、底面の周囲に凹設されると共に、それぞれが該上部孔の近傍に位置する内端と外周辺の近傍に位置する外端とを備え、前記スライド本体のガイドロッドが該外端に挿入される複数の弧状溝と、を備える回転蓋部と、を有する切削工具ホルダの加熱装置に使用される遮蔽道具、を提供する。
【０００７】
本願の請求項２の考案は、前記固定部材は、円盤状を呈し、
前記底孔は、円形を呈し、下部の中央周辺に直径方向に広がる広孔部と、該広孔部の上面部と固定部材の下面部との間に形成される肩部とを備え、
前記スライド溝は、外端が内端より高度に位置するように傾斜状に形成され、且つ内端の底面部が前記肩部と同一平面上に位置し、
前記磁化体は、前記固定部材の中心へ向かって平行する位置に配置される複数の凹溝を備えることを特徴とする請求項１に記載の切削工具ホルダの加熱装置に使用される遮蔽道具、を提供する。
【０００８】
本願の請求項３の考案は、前記スライド溝は、下部を垂直方向に貫穿され、前記固定部材の中心に向かって延出すると共に、前記広孔部と連通する長溝と、該長溝の外端部の両側を貫通するように挿入されるピンとを備え、
前記スライド遮蔽部材は、前記長溝と対応すると共に、底面部に凹設される凹溝と、該凹溝の内端に挿入されるスプリングロッドと、該凹溝と長溝との間に位置し、両端が夫々該スプリングロッドとピンに固定されるスプリングと、該スプリングロッドの近傍に位置すると共に、前記スライド本体の底面部に挿入するように、前記広孔部の周壁に当接する当接ロッドとを備えることを特徴とする請求項２に記載の切削工具ホルダの加熱装置に使用される遮蔽道具、を提供する。
【０００９】
本願の請求項４の考案は、前記固定部材は、外環面に径方向へ向かって凹設される収容孔を備え、
前記回転蓋部は円形を呈し、前記ベースの上部とその周辺とをカバーし、該ベースの上部に設けられる上面板と、該上面板の底面に円環状に設けられると共に、外周面に間隔をおいて前記収容孔と対応する複数の位置決め孔が貫穿される外環板とを有し、前記上部孔は、該上面板の中央箇所に貫穿されると共に、前記弧状溝は、該上面板の底面の周囲に凹設され、
前記ガイドロッドは、前記弧状溝に挿入され、
さらに、前記収容孔の内端と外端との間に設けられる位置決めスプリング及び位置決めボールを備え、該位置決めボールは、前記回転蓋部を固定するために、前記収容孔の外端から突出するように、前記複数の位置決め孔の何れか１つの内端に係合されることを特徴とする請求項２乃至３の何れか１項に記載の切削工具ホルダの加熱装置に使用される遮蔽道具、を提供する。
【００１０】
本願の請求項５の考案は、４つのスライド溝と、４つの弧状溝と、前記外環板の外周面における、同一間隔を有する４つの箇所にそれぞれ挿入される、４つの回転ロッドとを備えることを特徴とする請求項４に記載の切削工具ホルダの加熱装置に使用される遮蔽道具、を提供する。
【００１１】
本願の請求項６の考案は、前記スライド溝が断面Ｔ字形であることを特徴とする請求項５に記載の切削工具ホルダの加熱装置に使用される遮蔽道具、を提供する。
【００１２】
本願の請求項７の考案は、前記スライド溝が蟻溝を呈することを特徴とする請求項５に記載の切削工具ホルダの加熱装置に使用される遮蔽道具、を提供する。
【考案の効果】
【００１３】
本考案は上記の課題を解決するものであり、ベースの径方向に沿って摺動可能に、且つ切削金具の周囲に当接されるように調整することができる複数のスライド遮蔽部材を備えるので、加熱装置から発生した磁力線を反射することにより切削工具ホルダの上部に集中させ、異なるサイズの切削金具に対応すると共に切削工具ホルダを効率よく加熱することができる。
【図面の簡単な説明】
【００１４】
【図１】本考案に係る切削工具ホルダの加熱装置に使用されるの遮蔽道具の斜視図である。
【図２】本考案に係る切削工具ホルダの加熱装置に使用されるの遮蔽道具の局部分解斜視図である。
【図３】本考案に係る切削工具ホルダの加熱装置に使用されるの遮蔽道具のベースとスライド遮蔽部材の底部を示す分解斜視図である。
【図４】本考案に係る切削工具ホルダの加熱装置に使用されるの遮蔽道具の上部を示す平面図である。
【図５】本考案に切削工具ホルダの加熱装置に使用されるの遮蔽道具の断面図である。
【図６】本考案に係る切削工具ホルダの加熱装置に使用されるの遮蔽道具の使用状態を示す斜視図である。
【図７】本考案に係る切削工具ホルダの加熱装置に使用されるの遮蔽道具の使用状態を示す断面図である。
【図８】本考案に係る切削工具ホルダの加熱装置に使用されるの遮蔽道具に小さいサイズの切削金具が設けられる状態を示す上部の平面図である。
【図９】本考案に係る切削工具ホルダの加熱装置に使用されるの遮蔽道具に小さいサイズの切削金具が設けられる状態を示す断面図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１は本考案に係る切削工具ホルダの加熱装置に使用されるの遮蔽道具の斜視図であり、図２は本考案に係る切削工具ホルダの加熱装置に使用されるの遮蔽道具の局部分解斜視図であり、図３は本考案に係る切削工具ホルダの加熱装置に使用されるの遮蔽道具のベースとスライド遮蔽部材の底部を示す分解斜視図であり、図４は本考案に係る切削工具ホルダの加熱装置に使用されるの遮蔽道具の上部を示す平面図であり、図５は本考案に切削工具ホルダの加熱装置に使用されるの遮蔽道具の断面図であり、図６は本考案に係る切削工具ホルダの加熱装置に使用されるの遮蔽道具の使用状態を示す斜視図であり、図７は本考案に係る切削工具ホルダの加熱装置に使用されるの遮蔽道具の使用状態を示す断面図であり、図８は本考案に係る切削工具ホルダの加熱装置に使用されるの遮蔽道具に小さいサイズの切削金具が設けられる状態を示す上部の平面図であり、図９は本考案に係る切削工具ホルダの加熱装置に使用されるの遮蔽道具に小さいサイズの切削金具が設けられる状態を示す断面図である。
【００１７】
図１乃至図５に示すように、本考案に係る切削工具ホルダの加熱装置に使用する遮蔽道具は、ベース（１０）と、スライド遮蔽部材（２０）、回転蓋部（３０）と、位置決め部材（４０）と、加熱装置（５０）とを有するものである。
【００１８】
その内、前記ベース（１０）は、盤状を呈する固定部材（１１）と、底孔（１２）と、皿孔（１３）と、収容孔（１４）と、スライド溝（１５）とを有するものである。
【００１９】
前記底孔（１２）は円形を呈し、前記固定部材（１１）の中央を貫穿すると共に、下部の中央周辺に直径方向に広がる広孔部（１２１）と、該広孔部（１２１）の上面部と固定部材（１１）の下面部との間に形成される平面状の肩部（１２２）とを有するものである。
前記皿孔（１３）は４つを有し、夫々が前記広孔部（１２１）の外部周辺に環状の上面部に沿って同一間隔で前記固体部材（１１）の上面部に垂直に貫穿されるものである。
前記収容孔（１４）は、前記固定部材（１１）の外環面において径方向へ向かって凹設されるものである。
【００２０】
前記スライド溝（１５）は４つを有すると共に、その夫々が断面Ｔ字形を呈し、前記固定部材（１１）の上面部に間隔をおいて、該固定部材（１１）の底孔（１２）に向かって径方向に沿って、且つ外端が内端より高度に位置するように傾斜状に前記固定部材（１１）の上面部に凹設され、長溝（１５１）と、ピン孔（１５２）と、ピン（１５３）を有するものである。
前記長溝（１５１）は、前記スライド溝（１５）の下部から垂直方向に貫穿され、該固定部材（１１）の中心における底孔（１２）に向かって径方向に沿って延出すると共に、前記広孔部（１２１）と連通し、また、前記ピン孔（１５２）は４つを有し、その夫々が前記固定部材（１１）の外周面の両側に横方向に、且つ前記長溝（１５１）と対応するように、該長溝（１５１）の外端部の両側に貫穿され、前記ピン（１５３）は４つを有し、その夫々が前記ピン孔（１５２）に挿入される。
【００２１】
前記スライド遮蔽部材（２０）は、４つのスライド本体（２１）と、４つのスプリングロッド（２２）と、４つのスプリング（２３）と、４つの当接ロッド（２４）と、４つの磁化体（２５）と、４つのガイドロッド（２６）とを有するものである。
前記スライド本体（２１）は細長状を呈し、内端が前記固定部材（１１）の底孔（１２）から突出するように、径方向に沿って摺動可能に前記各スライド溝（１５）に嵌設されると共に、該スライド溝（１５）の内部に位置する底面部が前記肩部（１２２）と同一面に位置し、前記長溝（１５１）と対応するように、底面部に凹設される凹溝（２１１）を備えるものである。
【００２２】
前記スプリングロッド（２２）は、夫々前記凹溝（２１１）の内端に垂直に挿入される。
前記スプリング（２３）は、互いに対応する前記凹溝（２１１）と長溝（１５１）との間に位置し、両端が夫々前記スプリングロッド（２２）とピン（１５３）に固定される。
前記当接ロッド（２４）は、前記スプリングロッド（２２）の近傍に位置すると共に、内端は、前記スライド本体（２１）の底面に向かって垂直に挿入され、外端は、該スライド本体（２１）の広孔部（１２１）の周壁に当接される。
【００２３】
前記磁化体（２５）は、粉末冶金により構成される磁化可能な焼結物であり、前記スライド本体（２１）における、底孔（１２）から突出する内端底面部に設置されると共に、底面部にくし歯形や鋸歯状や波形などの凹部及び凸部が交互に配列される反射模様（２５１）と前記固定部材（１１）の内部へ向かって平行に配列される複数の凹溝（２５２）を備えるものである。
前記ガイドロッド（２６）は、前記スライド本体（２１）の外端の上面部中央に垂直に挿入される。
【００２４】
前記回転蓋部（３０）は円形を呈し、前記ベース（１０）の上部とその周辺とをカバーすると共に、上面板（３１）と、外環板（３２）と、４つの回転ロッド（３３）とを有するものである。
前記上面板（３１）は円形を呈し、前記ベース（１０）の上部に設置され、前記固定部材（１１）より大径であると共に、該固定部材（１１）の底孔（１２）と対応する中央に形成される上部孔（３１１）と、前記ガイドロッド（２６）と対応し、底面の周囲に同一の距離を置いて凹設される４つの弧状溝（３１２）を備える。該４つの弧状溝（３１２）は、前記上面板（３１）の底面の周囲に凹設されると共に、前記上部孔（３１１）の近傍に位置する内端と外周辺の近傍に位置する外端とを備え、該外端に前記スライド本体（２１）のガイドロッド（２６）が挿入されるものである。
【００２５】
前記外環板（３２）は、前記上面板（３１）の底面に円環状に設けられると共に、前記収容孔（１４）と対応する複数の位置決め孔（３２１）と、外周面において、同一の距離を置いて凹設される４つのねじ孔（３２２）を備えるものである。
前記回転ロッド（３３）は、一端が前記ねじ孔（３２２）に挿入されると共に、他端が前記外環板（３２）の外周面から水平に径方向へ延出するものである。
【００２６】
前記位置決め部材（４０）は、前記収容孔（１４）の内端と外端との間に設けられる位置決めスプリング（４１）と位置決めボール（４２）とを有し、該位置決めボール（４２）は、前記回転蓋部（３０）を固定するために、該収容孔（１４）の外端から突出するように、前記複数の位置決め孔（３２１）の何れか１つの内端に係合されるものである。
【００２７】
尚、本考案に係る切削工具ホルダの加熱装置に使用される遮蔽道具における、固定部材（１１）の周辺に間隔をおいて凹設されるスライド溝（１５）の数量は、場合に応じて二個や三個などの数量でもよい。また、スライド溝（１５）と対応するスライド本体（２１）及び回転蓋部（３０）の底面に凹設される弧状溝（３１２）の数量も場合に応じて二個や三個などの数量でもよい。また、該スライド溝（１５）とスライド本体（２１）のスライド可能な結合手段は、蟻継ぎの女木と男木のような手段によって組み立てることが好ましく、該スライド溝（１５）は蟻溝であることが好ましい。
【００２８】
図１、２及び６に示すように、本考案に係る切削工具ホルダの加熱装置に使用される遮蔽道具を使用する時は、ベース（１０）の固定部材（１１）における各皿孔（１３）にそれぞれボルトを挿入し、該ベース（１０）を、確実に加熱装置（５０）の上部に装着すると共に、加熱装置（５０）を、切削金具（５２）を装着したカッターホルダー（５１）の上部に設置し、内端を確実に切削金具（５２）の周囲に当接させることにより、スライド遮蔽部材（２０）の磁化体（２５）を、カッターホルダー（５１）の上面部の周囲に位置させる。
【００２９】
この構成によれば、前記加熱装置（５０）は、カッターホルダー（５１）を通過するように発生した磁力線によって、カッターホルダー（５１）を加熱することができる。さらに、該磁化体（２５）は、切削金具（５２）の周囲に当接するように設けられるので、底面部の反射模様（２５１）が磁力線の遮蔽することによって、磁力線を反射してカッターホルダー（５１）の上部の周囲に集中し、効率よく加熱することができる。
更に、カッターホルダー（５１）に切削金具（５２）を挿入させる結合穴（符号なし）は、加熱装置（５０）により加熱されて広がるので、切削金具（５２）を簡単に結合穴から引く抜くことができる。
【００３０】
図７及び図８に示すように、本考案に係る切削工具ホルダの加熱装置に使用される遮蔽道具は、異なるサイズの切削金具（５２Ａ）に対応している。磁化体（２５）の調整が必要な時には、回転ロッド（３３）により回転蓋部（３０）を回転させ、弧形溝（３１２）を回転させながら、対応するガイドロッド（２６）を弧形溝（３１２）に沿って移動させ、スライド本体（２１）を、ガイドロッド（２６）のスライド移動によって、切削金具（５２Ａ）の周囲に当接するまで、スライド溝（１５）に沿って固定部材（１１）の径方向へ移動させる。
また、本考案では、小さいサイズのカッターホルダー（５１Ａ）にも対応させるために、スライド本体（２１）が径方向に沿って中心へ移動すると共に、スライド溝（１５）は、内部より外部の方が高い傾斜状に形成されているので、移動しながら位置が徐々に低くすることができる。
【００３１】
また、前記回転蓋部（３０）は、磁化体（２５）が切削金具（５２Ａ）の周囲に当接するまで回転し、確実に切削金具（５２Ａ）の周囲に当接すると磁力線の遮蔽効果がよい。また、回転蓋部（３０）が回転する時に、回転蓋部（３０）が逆方向へ回転しないようにするために、収容孔（１４）に設けられた位置決めボール（４２）が他の位置決め孔（３２１）に係合される。
【００３２】
一方、前記回転蓋部（３０）を逆方向へ回転させると、前記磁化体（２５）は切削金具（５２Ａ）の周囲から離間し、スプリングロッド（２２）に設けられたスプリング（２３）によって、スムーズに回転蓋部（３０）が逆方向へ回転し、速やかに磁化体（２５）を径方向に沿って外側へ復位させることができる。
【産業上の利用可能性】
【００３３】
本考案に係る切削工具ホルダの加熱装置に使用される遮蔽道具は上記の構成を有するので、ベースの径方向に沿って摺動可能に切削金具の周囲に当接するまで調整することができる、複数のスライド遮蔽部材を備えることによって、加熱装置から発生した磁力線を反射させて切削工具ホルダの上部に集中させ、異なるサイズの切削金具に対応させながら切削工具ホルダを効率よく加熱することができる。
【符号の説明】
【００３４】
１０    ベース
１１    固定部材
１２    底孔
１２１  広孔部
１２２  肩部
１３    皿孔
１４    収容孔
１５    スライド溝
１５１  長溝
１５２  ピン孔
１５３  ピン
２０    スライド遮蔽部材
２１    スライド本体
２１１  凹溝
２２    スプリングロッド
２３    スプリング
２４    当接ロッド
２５    磁化体
２５１  反射模様
２５２  凹溝
２６    ガイドロッド
３０    回転蓋部
３１    上面板
３１１  上部孔
３１２  弧状溝
３２    外環板
３２１  位置決め孔
３２２  ねじ孔
３３    回転ロッド
４０    位置決め部材
４１    位置決めスプリング
４２    位置決めボール
５０    加熱装置
５１    カッターホルダー
５２    切削金具
【図１】
0003154730.tif 000003
【図２】
0003154730.tif 000004
【図３】
0003154730.tif 000005
【図４】
0003154730.tif 000006
【図５】
0003154730.tif 000007
【図６】
0003154730.tif 000008
【図７】
0003154730.tif 000009
【図８】
0003154730.tif 000010
【図９】
0003154730.tif 000011